Podtech/llm-jp-corpus-v4-ja_patent huggingface dataset:
(57)【要約】【課題】  従来より市販されている風呂用シャワーは、広角にお湯が噴出し、体からのお湯の跳ね返り強く、飛び散ったしぶきが周りの壁や周囲の人等に当っていた。又、シャワーを体に近づければ近づけるほど跳ね返りが強くなるため、シャワーを体から離して使用していた。本発明は、お湯の飛び散りをを大幅に削減させ、従来不可能とされていたシャワーの押し当て洗いがお湯の飛び散り無しでできる飛び散らないシャワー用ノズルを提供する。【解決手段】  シャワーカバー本体正面上部にゴムシート取付用突起リングを設け、ゴムシート取付用突起リングに円柱状のゴムシートを取り付け、円柱状のゴムシートの根元をゴムシート固定用リングで圧着固定する。円柱状のゴムシート先端部に複数の切れ込みを入れ、円柱状のゴムシート先端部が開口できることを特徴とする飛び散らないシャワー用ノズル。【選択図】図１
2019051282.tif 000002
【特許請求の範囲】
【請求項１】
シャワー本体正面上部にゴムシート取付用突起リングを設け、ゴムシート取付用突起リングに円柱状のゴムシートを取り付け、円柱状のゴムシートの根元をゴムシート固定用リングで固定し、円柱状のゴムシート先端部に複数の切れ込みを入れ、円柱状のゴムシート先端部が開口できるようにした飛び散らないシャワー用ノズル。
【発明の詳細な説明】
【技術分野】
【０００１】  本発明は、風呂場で使用するシャワー用ノズルに関するものである。
【背景技術】
【０００２】  従来、風呂場で使用するシャワーは、ノズルから広角に噴出したお湯で頭や体を洗い流していた。
【先行技術文献】
【特許文献】
【０００３】
【特許文献１】特開２００７−２３９２４５
【発明の概要】
【発明が解決しようとする課題】
【０００４】  従来より、市販されている風呂用のシャワーは、広角にお湯が噴出し、体からのお湯の跳ね返りが強く、飛び散ったしぶきが周りの壁や周囲の人等に当たっていた。又、シャワーを体に近づければ近づけるほど跳ね返りが強くなるため、シャワーを体から離して使用していた。
本発明は、以上の問題点を解決するためになされたものである。
【課題を解決するための手段】
【０００５】  シャワーカバー本体正面上部にゴムシート取付用突起リングを設け、ゴムシート取付用突起リングに円柱状のゴムシートを取り付け、円柱状のゴムシートの根元を弾力性のあるゴムシート固定用リングで圧着固定する。円柱状のゴムシート先端部に複数の切れ込みを入れ、円柱状のゴムシート先端部が開口できるようにする。
以上の構成よりなる飛び散らないシャワー用ノズル。
【発明の効果】
【０００６】  シャワーによるお湯の飛び散りが、本発明により大幅に減少する。又、従来不可能とされていたシャワーの押し当て洗いが飛び散り無しででき、強い噴出圧のお湯を無駄なく全て体に当てることができることで洗浄効果も上がり、お湯の有効活用にもなる。
【図面の簡単な説明】
【０００７】
【図１】  本発明の使用状態を示す側面図
【図２】  本発明の使用状態を示す図３のＡ−Ａ断面図
【図３】  本発明の使用状態を示す正面図
【図４】  通常シャワーの噴出流エリア示す側面図
【図５】  本発明の噴出流エリアを示す側面図
【図６】  本発明を押し当て洗い状態を示す斜視図
【発明を実施するための形態】
【０００８】  以下、本発明の実施の形態を説明する。
（イ）シャワーカバー本体（１）の正面上部に丸穴（７）を設け、その丸穴（７）は、ゴムシート取付用突起リング（２）の位置決め、及び固定用のもので、穴の大きさはゴムシート取付用突起リング（２）の細い先端部分より大きく、太い根元部分より小さくする。ゴムシート取付用突起リング（２）は、先端部分のみ丸穴（７）から突出し、太い根元部分は丸穴（７）に強力な接着剤で固定する。
（ロ）ゴムシート取付用突起リング（２）の先端部に薄く弾力性のある円柱状のゴムシート（３）を取り付け、円柱状のゴムシート（３）の根元を弾力性のあるゴムシート固定用リング（５）で圧着固定する。
（ハ）円柱状のゴムシート（３）の先端部に複数の切れ込み（４）を設ける。
本発明は、以上のような構造である。
【０００９】  本発明を使用するときは、シャワーカバー本体（１）の底穴（６）からシャワー本体（ａ）の上部（ｇ）をシャワーカバー本体（１）の上部先端まで差し込むように押し入れ、シャワー本体（ａ）の噴出口（ｂ）をシャワーカバー本本体（１）に取り付けたゴムシート取付用突起リング（２）のセンターに合わせる。
シャワー本体（ａ）からお湯を噴出させると、ゴムシート取付用突起リング（２）に導かれ円柱状のゴムシート（３）の先端部からお湯が噴出される。円柱状のゴムシート（３）の先端部から噴出したお湯はゴムシート取付用突起リング（２）と円柱状のゴムシート（３）を通過する際、図４に示すように広角に広がっていたお湯の噴出流（ｅ）が図５に示すように直線的に絞り込まれ噴出エリアは広角噴出エリア（ｃ）から直線的噴出エリア（ｄ）のように狭くなる。
この直線的に絞り込まれた噴出流は体（ｆ）を洗い流す際、従来シャワーの広角的跳ね返りに比べ噴出エリアが狭く直線的噴出流のため跳ね返りエリアが大幅に減少する。又、シャワーの押し当て洗いを行うと、円柱状のゴムシート（３）の先端部に設けた切れ込み（４）が開口し、切れ込み開口スペース（ｈ）ができ、噴出流（ｅ）を体（ｆ）に沿った流れに制御し、お湯の飛散をほぼ皆無にまで抑え、強い噴出圧のお湯を無駄なく全て体（ｆ）に当てることができることで洗浄効果も上がり、飛び散り対策とお湯の有効活用の両立ができる。
【符号の説明】
【００１０】  １  シャワーカバー本体、２  ゴムシート取付用突起リング、
３  円柱状のゴムシート、４  切れ込み、５  ゴムシート固定用リング、
６  底穴、７  丸穴
ａ  シャワー本体、ｂ  噴出口、ｃ  広角噴出エリア、
ｄ  直線的噴出エリア、ｅ  噴出流、ｆ  体、ｇ  上部、
ｈ  切れ込み開口スペース
【図１】
2019051282.tif 000003
【図２】
2019051282.tif 000004
【図３】
2019051282.tif 000005
【図４】
2019051282.tif 000006
【図５】
2019051282.tif 000007
【図６】
2019051282.tif 000008
(57)【要約】      （修正有）【課題】美的感覚と優雅さ楽しさを備えるため一枚の長方形、四角形の板に糸鋸、レーザー加工による特殊な形のトランプ形（ハート・ダイヤ・クローバ・スペード）の形状に形取り、一枚の板の中心部と外側を切り抜く事のみで美的感覚と優雅さを持った、写真立と絵画額を提供する。【解決手段】長方形、四角形に板の中央部に糸鋸、レーザーで加工して、トランプ形（ハート・ダイヤ・クローバ・スペード）に切り抜き中央部の切り取ったトランプ形の部分は机の上、棚の上に写真立て、絵画立てとして飾る事に於いて、机の上、棚の上が美的感覚がまし優雅に飾ることが出来る、又、長方形、四角形に板の中央部に糸鋸、レーザーで加工して中央部を抜いた長方形、四角形の外側の板の裏側に写真、絵画を納める段を設け、段の中に写真、絵画を納めて壁に掛ける事により壁が美的感覚が得られ写真、絵画が優雅に一層華やかになるトランプ形の写真立と額。【選択図】図１
2019051285.tif 000002
【特許請求の範囲】
【請求項１】
長方形、四角形に板の中央部に糸鋸、レーザーで加工して、トランプ形（ハート・ダイヤ・クローバ・スペード）で切り抜き加工した発明で、長方形、四角形の中央部に糸鋸、レーザーで切り抜いた各トランプ形（ハート・ダイヤ・クローバ・スペード）の裏側に写真、絵画を納める段を設け、その段の中に写真、絵画を納め机の上、棚に飾る事で、従来の長方形、四角形の枠の中に収めていた写真、絵画が美的感覚、優雅さが得られ机、棚が優雅になる事を特徴とするトランプ形（ハート・ダイヤ・クローバ・スペード）の写真立と額。
【請求項２】
長方形、四角形に板の中央部に糸鋸、レーザーで切り抜いたトランプ形（ハート・ダイヤ・クローバ・スペード）の長方形、四角形の板の外側の裏側に写真、絵画の納める段を設け、段の中に写真、絵画を納めて壁等に飾り従来の長方形、四角形の額ではなく本発明のトランプ形（ハート・ダイヤ・クローバ・スペード）の額で飾る事で壁等が美的感覚が得られ優雅になる事を特徴とする請求項１記載のトランプ形（ハート・ダイヤ・クローバ・スペード）の写真立と額。
【発明の詳細な説明】
【技術分野】
【０００１】  本発明は写真や絵画等シート状の物を飾るための写真立てと額で、その形状を斬新な美的感覚を有し、優雅なトランプ形（ハート・ダイヤ・クローバ・スペード）の形状にした写真立と額に関するものである。
【背景技術】
【０００２】  従来の写真立と額は印画紙に焼き付けられた又は印刷された写真、絵を長方形、四角形の枠の中にはめ込んだもので美的感覚が乏しいものであった。【０００３】  このように写真立て額の殆んどが一般的に四角い額状であり小さなものは机、棚の上に絵画は壁などに飾るが、写真立て額とも只長方形、四角形の形状の形状の「中に入れるだけで美的感覚の斬新さが乏しく大切な思いのある写真、絵画が楽しく、キレイに見えなかった。
【発明の概要】
【特許が解決しようとする課題】
【０００４】  本発明は従来の写真立て額は只長方形、四角形の形状であり大切な思いのある写真が只の長方形、四角形の枠に入っているだけで美的感覚が乏しかった。
この発明は美的感覚と優雅さ楽しさを備えるため一枚の板に糸鋸、レーザー加工による特殊な形のトランプ形（ハート・ダイヤ・クローバ・スペード）の形状に形取り美的感覚優雅さをそなえ、良い思い出の写真立て、絵画額となる様考案。
【０００５】  本発明は、一枚の長方形、四角形の板の中央部にトランプ形（ハート・ダイヤ・グローバ・スペード）の形状に糸鋸、レーザーで切り抜き、内側の抜かれた部分に写真が納まる様、段を設けた形状の物は机の棚等に飾る写真立て等に利用する。
【０００６】  本発明の一枚の長方形、四角形の板の中央部にトランプ形（ハート・ダイヤ・クローバ・スペード）を糸鋸、レーザーで切り抜た外側の部分裏側に写真、絵画を納める事の出来る段を設け、壁掛けとして利用できる事により壁等が美的感覚を有し、飾りとして壁全体の優雅さを与える発明である。
【課題が解決するための手段】
【０００７】  一枚の長方形の板に、糸鋸盤又はレーザ加工により各種のトランプ（ハート、ダイヤ、クラブ、スペード）形状に切断し、抜けた各トランプの板は裏側に写真を入れる段を設け、机の棚等に写真入れに写真を挿入して机の上に置いた写真立て等に利用し、一方、本発明の一枚の長方形、四角形の中央部のトランプ形（ハ―ト・ダイヤ・クローバ・スペード）を抜いた外側の部分に写真、絵画を納める事の出来る段を設け、壁掛けとして利用できる事により壁等が美的感覚を有し、飾りとして壁全体の優雅さを与える発明を提供する、即ち、四角形、長方形の１枚の板を糸鋸、レーザ加工で切断し、中央部と外側の２枚の写真立と額縁にして利用出来るようにすることを目的としている。
【発明の効果】
【０００８】  本発明は、一枚の板を糸鋸盤、レーザ加工で切断し、抜いたトランプ形状の中央部の板の裏側に写真が入る段を設け、写真を入れ、写真立てにし、他の方の抜かれた板に外側の板の裏側に写真、絵画を入れる段を設け、壁に掛ける発明。
【図面の簡単な説明】
【０００９】  ハート形のみ説明図（ハート・ダイヤ・クローバ・スペード）は同様に加工製作する。
【図１】正面図
【図２】右側面図
【図３】平面図
【図４】右側断面図
【図５】中間部を抜いた正面図
【図６】中間部の正面図
【図７】トランプ４種類の実施代行写真
【発明が実施するための形態】
【００１０】  長方形、四角形の板を使用し、板の中央部に糸鋸、レーザー加工によるトランプ形（ハート・ダイヤ・クローバ・スペード）の形状に切断切り抜き、切り抜いた各トランプ形（ハート・ダイヤ・クローバ・スペード）の裏面に写真、絵画を納める段を設けた段の中に写真、絵画を固定するは発明であり、長方形、四角形の板の中央部を各トランプ形（ハート・ダイヤ・クローバ・スペード）に抜いた外側の長方形、四角形の形状の板の裏側に写真、絵画を納める事の出来る段を設け、写真、絵画を納め壁等い飾る発明である。
【符号の説明】
【００１１】１  長方形、四角形の板
２  糸鋸又はレーザ加工
３  トランプ形（ハート、ダイヤ、クローバ、スペード）
４  段
５  写真又は絵画
【図１】
2019051285.tif 000003
【図２】
2019051285.tif 000004
【図３】
2019051285.tif 000005
【図４】
2019051285.tif 000006
【図５】
2019051285.tif 000007
【図６】
2019051285.tif 000008
【図７】
2019051285.tif 000009
(57)【要約】      （修正有）【課題】金銭出納用紙を紙幣と同じ寸法にする。【解決手段】冊子である金銭出納帳を枚葉にし、用紙の寸法を紙幣と同寸法にする事により、軽量のため携帯に便利でかつ財布等に容易に収納する事が出来、金銭出納時に即時に記録が可能となり正確な金銭出納記録が期待できる。【選択図】図１
2019051689.tif 000002
【特許請求の範囲】
【請求項１】
紙幣と同じ寸法にした金銭出納用紙
【発明の詳細な説明】
【技術分野】
【０００１】金銭出納用紙に係る分野
携帯に便利な金銭出納用紙
【発明の概要】
【発明が解決しようとする課題】
【０００２】金銭出納と金銭出納記録とに同時性がない現状、即ち金銭の出納時に金銭出納帳を同時携帯する事は少なく、金銭出納後にまとめて金銭出納帳  に記憶をたどりつつ記帳するために正確な記帳が難しい面があった
【課題を解決するための手段】
【０００３】冊子である金銭出納帳を枚葉にし、用紙の寸法を紙幣と同寸法にする事により、軽量のため携帯に便利でかつ財布等に容易に収納する事が出来、金銭出納時に即時に記録が可能となり正確な金銭出納記録が期待できる
【図面の簡単な説明】
【０００４】
【図１】本願発明の一実施例を示す金銭出納用紙の説明図
【符号の説明】
【０００５】（１）金銭出納用紙
（２）金銭出納用紙の寸法で長さを表わし紙幣と同じ寸法とする
（３）金銭出納用紙の寸法で長さを表わし紙幣と同じ寸法とする
（４）メモ等にも活用できる金銭出納用紙の裏面
【図１】
2019051689.tif 000003
(57)【要約】【課題】電子部品に影響を与えることを抑制する掃除ユニットを提供する。【解決手段】使用者による電池の着脱が可能な電池駆動式電気掃除機において、前記掃除機に搭載している制御ICにより、電池の取り外しを検出した際、ファンモータのブレーキ制御を停止させ、回生電圧の発生を阻止することで、その他電子部品を保護する。【選択図】  図２
2019051044.tif 000002
【特許請求の範囲】
【請求項１】
使用者による電池の着脱が可能な電池駆動式電気掃除機において、前記掃除機に搭載している制御ICにより、電池の取り外しを検出した際、ファンモータのブレーキ制御を停止させ、回生電圧の発生を阻止することで、その他電子部品を保護することを特徴とする電気掃除機。
【請求項２】
請求項１の電気掃除機において、ファンモータのブレーキ制御時における電池取り外しによる回生電圧発生時に、制御装置の電源電圧供給ラインを遮断し、制御装置を保護することを特徴とする電気掃除機
【発明の詳細な説明】
【技術分野】
【０００１】
本発明は、使用者による電池の着脱が可能な電気掃除機に関するものである。
【背景技術】
【０００２】
電池の着脱が可能な電池駆動式電気掃除機がある。
【先行技術文献】
【特許文献】
【０００３】
【特許文献１】特開2013-230302号公報
【発明の概要】
【発明が解決しようとする課題】
【０００４】
使用者による電池の着脱が可能な電池駆動式電気掃除機は、使用者が任意のタイミングで電池の着脱が可能であるため、ゴミを吸い取るためのファンモータが回転している最中においても、電池の着脱が可能である。しかし、ファンモータは電池残量による回転数の制御などのタイミングにおいては回転数を落とすために電気的にブレーキをかけることがあり、その際回生電圧が発生する。電池装着時において、回生電圧が発生した場合は電池により電源電圧が定電圧に保たれるため、回生電圧によって電源電圧が上昇することはない。一方、回生電圧発生時に電池を取り外した場合は、回生電圧により電源電圧が急峻に上昇してしまい、その他電子部品の絶対最大定格を越え、電子部品に影響を与える恐れがある。
【０００５】
本発明はソフト的方法もしくは回路的方法もしくはその両方を用いて上記課題を解決することを目的としている。
【課題を解決するための手段】
【０００６】
本発明は、上記目定期を達するために、ソフト的および回路といった二つの方法がある。
【０００７】
ソフト的方法としては、電池取り外しを検知し、ブレーキ制御を停止させることで回生電圧発生を阻止することを特徴とする。
【０００８】
回路的方法としては、ブレーキ時の電池取り外し時に発生する回生電圧によって電源電圧が上昇した場合に、制御回路への電源供給を遮断する回路を設けることを特徴とする。
【０００９】
もしくは上記二つの方法を組み合わせることを特徴とする。
【発明の効果】
【００１０】
これによって、ブレーキ時の電池取り外し時に回生電圧の発生を抑制することができ、ソフトが働かず回生電圧が発生し電源電圧が上昇した場合においてもその他電子部品の保護が可能となる。
【図面の簡単な説明】
【００１１】
【図１】本発明の実施例１の掃除ユニットの断面図と側面図。
【図２】（ａ）（ｂ）取り外し検知の有無による違いを示すイメージ図。
【図３】遮断回路の一例を示す図。
【発明を実施するための形態】
【００１２】
以下、実施例を、図面を用いて説明する。
【実施例１】
【００１３】
以下、本発明を下記の実施例にもとづいて説明する。
【００１４】
図１は本発明を適用する掃除機の全体構成を示す図である。
【００１５】
図１は二次電池と二次電池を電力源とする充電式スティックタイプの掃除機１００の斜視図である。本体１の操作スイッチ１２ｂを押下することで、スイッチ１２ｂに対応した運転モードで本体１の電動送風機を駆動させ、運転する。本体１の内部にはモータ組(電動送風機)と、電動送風機の回転数を制御するためのメイン基板(制御基板)、スイッチ基板とを有する。また、メイン基板及びモータ組の電源となる電池組３がある。電池組３は本体１と着脱可能であり、接続部は電力供給のための端子と、通信用の端子とで構成している。
【００１６】
実施例として、電池電圧使用範囲が24.6V〜16.8Vの場合を考える。電池電圧使用範囲とは制御上、電池容量100%判定電圧値が24.6Vであり、0%判定電圧値が16.8Vのことを言い、本発明の適用範囲はこの限りではない。
【００１７】
掃除機本体１へ電池組３を装着時、前記電池組３は、本体１内部に実装している前記メイン基板に搭載した電圧検出回路により電圧検出を行い、電池電圧24.6V〜16.8Vの範囲で制御されており、その範囲を外れることはない。
【００１８】
しかし、掃除機本体１から電池組３を取り外した場合は、前記電池電圧範囲外の0Vとなる。このことを利用し、電池組３の取り外し判定を電圧検出値16.3Vとすることで、電池組３の  取り外しを検知する。
図２（ａ）（ｂ）に取り外し検知の有無による違いをイメージにて示す。取り外し検知が無い場合は、ブレーキ制御により瞬間的に電源電圧が上昇してしまうが、取り外し検知がある場合は検知後ブレーキ制御を停止させるため、回生電圧が発生しない。
【実施例２】
【００１９】
次に、回生電圧が発生した場合を前提に実施例２を説明する。実施例１と共通の部分は割愛する。前段でも説明したとおり、電池電圧は24.6V〜16.8Vにて制御されており、その範囲を逸脱することはない。しかし、回生電圧発生時には24.6Vを超えてその他電子部品を破壊してしまう恐れがあることから、その他電子部品に回生電圧が印加されないようにその他電子部品への電源供給を遮断する必要がある。図３に遮断回路の一例を示す。
【００２０】
回生電圧発生により電源電圧上昇し、電源電圧がZDのツェナー電圧を超えた場合、ZDに電流が流れるためTrがONし、FETのG-S間電圧が0VとなるためFETがOFFし、その他電子部品への電圧印加を停止する。このツェナー電圧は保護したい電子部品の定格以下であることが望ましい。
【００２１】
実施例１と実施例２を組み合わせることで、ソフトが正常に動作する場合には、回生電圧の発生を阻止することが出来、仮にソフトが誤動作し、ブレーキ停止が働かない場合でも、その他電子部品の保護をすることが可能である。
【符号の説明】
【００２２】
１  掃除機本体
３  電池組
１２ｂ  スイッチ
１００  掃除機
【図１】
2019051044.tif 000003
【図２】
2019051044.tif 000004
【図３】
2019051044.tif 000005
(57)【要約】      （修正有）【課題】使用したい長さの分だけスムーズに引出しすることが可能なひも収納器を提供する。【解決手段】巻いてあるひも７を納める八角形の収納器本体１であって、切断用カッターナイフ収納可能な持ち運び用取っ手４の横にひもを引き出す為のひも引出部２を設け、ひも引出し部２にプラスチック製のブッシングを設け、引き出そうとするひもに適度の負荷をかける。【選択図】図２
2019051987.tif 000002
【特許請求の範囲】
【請求項１】
ひも引出し部に、ブッシングというプラスチック製で、引き出そうとするひもに適度の負荷掛ける部品を取りつけたひも収納器。
【発明の詳細な説明】
【技術分野】
【０００１】  本発明は、ひも類（紙ひも、布）を収納する、ひも収納器である。
【背景技術】
【０００２】  従来のひも収納器は、ひも引出部に隙間があり過ぎて、必要な長さ以上に出過ぎてしまい、使い勝手が悪かった。
【先行技術文献】
【特許文献】
【０００３】
【特許文献１】
【発明の概要】
【発明が解決しようとする課題】
【０００４】  従来のひも収納器は、収納器内から引き出すひもとひも引出部との間に隙間があった為、使いたいひもの長さをコントロールすることが出来なかったが、本発明はこの問題を解決する為になされたものである。
【課題を解決するための手段】
【０００５】  巻いてあるひもを納める八角形の収納器で、切断用カッター収納可能な持ち運び用の取っ手の横にひもを引き出す為の、ひも引出部を設け、そのひも引出部にプラスチック製のブッシングを取り付け、適度の負荷をかけるようにしたひも収納器。
【発明の効果】
【０００６】  従来型のひも収納器は、ひもを引き出す引き出部とひもとの隙間があり過ぎて、必要以上にひもが出過ぎてしまって、使用したいひもの長さをコントロール出来ず、使い勝手が悪く作業性も悪かったが、ひも引き出部にプラスチック製のブッシングを取り付け適度の負荷をかけることによって、使用したい長さの分だけスムーズに引出しすることが、可能になった。
【図面の簡単な説明】
【０００７】
【図１】  図のひも収納器の斜視図である。。
【図２】  図のひも収納器の実施例の斜視図である
【発明を実施するための形態】
【０００８】  以下、本発明の実施の形態を説明する。
（イ）切断用カッターナイフ収納可能な持ち運び用取っ手（４）の横に、プラスチック製のブッシングを、ひも取り出し部（２）に設ける。
（ロ）ひもを収納する際は、ひも収納器開閉蓋支持部（５）を押さえながら、ひも収納器開閉蓋部（６）のふたを開けて、ひも収納器内に収納し、ひも収納器開閉蓋部（６）の蓋を完全に閉める前に、引き出そうとするひもの先端（７）を、ひも引出部（２）の内側から外側へ、少しの長さだけ引出してから、ひも収納器開蓋部（６）を完全に閉める。
本発明は、以上のような構成である。
これを使用するときは、ひも引出部（２）から、少しの長さだけ出ているひもを必要な長さだけ引出し、切断用カッターナイフ収納可能な持ち運び取っ手（４）からカッターナイフを取り出し、引き出す前と同様な長さを残した状態で、ひもを切断する。
【符号の説明】
【０００９】  １  ひも収納器本体
２  ひも引出部
３  周回スケール
４  切断用カッターナイフ収納可能なひも持ち運び用取っ手部
５  ひも収納器蓋支持部
６  ひも収納器開閉蓋部
７  ひも
【図１】
2019051987.tif 000003
【図２】
2019051987.tif 000004
(57)【要約】【課題】  デカールを浸す水容器に溜めた水を、電気ヒータとサーモスタットを設けた加熱保温器により、温水として保持し、デカールが軟化した状態で破れること無く剥離することができる水転写デカール剥離器を提供する。【解決手段】  加熱保温器（１）にデカールを浸す水を加熱する手段である電気ヒータ（３）と、前記加熱手段を制御する温度制御手段であるサーモスタット（４）と、デカールを浸す水容器（２）を設け、また、加熱保温器（１）にスイッチ（６）、および電源端子（７）を設け電力を供給し、以上の構成により、水容器（２）に溜められた水は温水として保持され、デカールを破れないように軟化させてから剥離することができる、水転写デカール剥離器を特徴とする。【選択図】図１
2019147365.tif 000002
【特許請求の範囲】
【請求項１】
加熱保温器（１）にデカールを浸す水を加熱する手段である電気ヒータ（３）と、前記加熱手段を制御する温度制御手段であるサーモスタット（４）と、デカールを浸す水容器（２）を設けた、水転写デカール剥離器。
【請求項２】
加熱保温器（１１）にデカールを浸す水を加熱する手段である電気ヒータ（３）と、前記加熱手段を制御する温度制御手段であるサーモスタット（４）と、デカールを浸す水容器（１２）を載置する為の載置板（５）を設け、デカールを浸す水容器（１２）を加熱保温器（１１）から分離して設けた、水転写デカール剥離器。
【発明の詳細な説明】
【技術分野】
【０００１】  この発明は、プラモデルや模型などのマーキングに使用する水転写デカールを破れにくくなるように軟化させ、且つ短時間で剥離させる為に、加熱保温器にデカールを浸ける水容器を設けた水転写デカール剥離器に関するものである。
【背景分野】
【０００２】  従来、水転写デカールは、水道水等の水にそのまま浸して剥離させていた。
その為、冬期など水温が低い時期には、デカールが軟化しないまま剥離して破れることがあり、また、剥離に要する時間も長く掛かっていた。
また、他の方法としてはデカールの破損を防止するため、４０℃程度のぬるま湯にデカールを浸けて、デカールを軟化させてから剥離していた。
【発明の概要】
【発明が解決しようとする課題】
【０００３】  従来の方法には、次のような欠点があった。
（イ）冬期など水温が低い時期に水道水等をそのまま使用すると、デカールが軟化しないまま剥離して破れることがあった。
また、水温が低い為に、デカールの剥離に時間が長く掛かっていた。
（ロ）デカールの破損を防止するため、４０℃程度のぬるま湯にデカールを浸けて、デカールを軟化させてから剥離する場合でも、デカールの剥離には作業性を考慮して通常浅底の容器を使用するが、その中に溜められる水の容量は極めて少ない為、数枚のデカールを剥離させている間の短時間に、４０℃程度のぬるま湯が冷えてしまい、ぬるま湯の入れ替え作業を頻繁に行わなければならなかった。
本発明は、以上のような欠点をなくすためになされたものである。
【課題を解決するための手段】
【０００４】  上述した課題を解決する為に、加熱保温器（１）にデカールを浸す水を加熱する手段である電気ヒータ（３）と、前記加熱手段を制御する温度制御手段であるサーモスタット（４）と、デカールを浸す水容器（２）を設けて一体化する。
また、前記のように加熱保温器（１）とデカールを浸す水容器（２）を一体化させない別の手段として、加熱保温器（１１）にデカールを浸す水を加熱する手段である電気ヒータ（３）と、前記加熱手段を制御する温度制御手段であるサーモスタット（４）と、デカールを浸す水容器（１２）を載置する為の載置板（５）を設けて一体化し、デカールを浸す水容器（１２）は取手（１３）を設けて載置板（５）への着脱を容易にする。
本発明は、以上の構成よりなる水転写デカール剥離器である。
【発明の効果】
【０００５】  本発明により、次のような効果が得られる。
（イ）冬期など水温が低い時期に水道水等をそのまま使用すると、デカールが軟化しないまま剥離して破れることがあったが、本発明の水転写デカール剥離器はデカールを浸す水容器（２）、または水容器（１２）に溜めた水を、電気ヒータ（３）とサーモスタット（４）を設けた加熱保温器（１）、または加熱保温器（１１）により、温水として保つためデカールが軟化した状態で剥離することができるので破れることがない。
また、ぬるま湯に浸けて剥離作業を行うので、時間的にも従来より短時間で剥離作業が行える。
（ロ）４０℃程度のぬるま湯にデカールを浸けて、デカールを軟化させてから剥離する方法は従来も行われていたが、デカールの剥離には作業性を考慮して通常浅底の容器を使用しており、その中に溜められる水の容量は極めて少ない為、ぬるま湯が短時間で冷えてしまい、ぬるま湯の入れ替え作業を頻繁に行わなければならなかった。
本発明の水転写デカール剥離器は、前項（イ）に記した通りデカールを浸す水容器（２）、または水容器（１２）に溜めた水を、電気ヒータ（３）とサーモスタット（４）を設けた加熱保温器（１）、または加熱保温器（１１）により、温水として保つため、ぬるま湯の入れ替え作業を行う必要が無くなった。
【図面の簡単な説明】
【０００６】
【図１】  本発明の斜視図である。
【図２】  本発明の断面図である。
【図３】  本発明の分離型水容器（１２）の断面図である。
【図４】  本発明の分離型加熱保温器（１１）の断面図である。
【発明を実施するための形態】
【０００７】  以下、本発明を実施するための形態について説明する。
（イ）加熱保温器（１）にデカールを浸す水を加熱する手段である電気ヒータ（３）と、前記加熱手段を制御する温度制御手段であるサーモスタット（４）と、デカールを浸す水容器（２）を設ける。
また、加熱保温器（１）にスイッチ（６）、および電源端子（７）を設け電力を供給する。
以上の構成により、水容器（２）に溜められた水は４０℃程度のぬるま湯の状態を保持でき、水転写デカールを破損すること無く、連続して剥離することができる。
（ロ）前記のように加熱保温器（１）とデカールを浸す水容器（２）を一体化させない分離型の形態として、加熱保温器（１１）にデカールを浸す水を加熱する手段である電気ヒータ（３）と、前記加熱手段を制御する温度制御手段であるサーモスタット（４）と、デカールを浸す水容器（１２）を載置する為の載置板（５）を設ける。
また、デカールを浸す水容器（１２）は取手（１３）を設けて、載置板（５）への着脱ができる形態とする。
以上の構成により、前項（イ）と同様に水容器（１２）に溜められた水は４０℃程度のぬるま湯の状態を保持でき、水転写デカールを破損すること無く、連続して剥離することができる。
また、水容器（１２）を加熱保温器（１１）から分離することにより、剥離作業後の水容器（１２）の清掃が容易にできる。
（ハ）電源端子（７）については、デカールの剥離作業の環境に合わせて通常の１００Ｖコンセントに加えて、乾電池方式、またはＵＳＢ電源方式が使用できる。
【符号の説明】
【０００８】  １、１１  加熱保温器
２、１２  水容器
３  電気ヒータ
４  サーモスタット
５  載置板
６  スイッチ
７  電源端子
１３  取手
【図１】
2019147365.tif 000003
【図２】
2019147365.tif 000004
【図３】
2019147365.tif 000005
【図４】
2019147365.tif 000006
(57)【要約】【課題】消毒剤の濃度を法定濃度に維持する。【解決手段】モータで駆動される液移送ポンプで、当該モータの回転にともなって、所定量ずつ対象液を滴下するようにし、タイマーで前記モータの作動開始時間と作動時間を設定しておき、秒単位の作動信号を出力することによって、微量な薬液の滴下ができる薬剤滴下装置である。長時間間隔で極微量、例えば１cc以下の薬剤を滴下したいときに、適用することができる。【選択図】図２
2019147120.tif 000002
【特許請求の範囲】
【請求項１】
モータで駆動され、当該モータの回転にともなって、所定量ずつ対象液を滴下する液移送ポンプと、前記モータの作動時間を設定するタイマーとを備え、所定時間毎に所定秒間隔の作動時間で前記ポンプを駆動して、所定量の薬剤を滴下する薬剤滴下方法。
【請求項２】
前記薬剤が次亜塩素酸ナトリウムであって、前記時間間隔が数時間間隔であり、前記所定秒が１〜５秒であり、前記所定量が１０cc以下である請求項１の記載の薬剤滴下方法。
【発明の詳細な説明】
【技術分野】
【０００１】
本発明は消毒剤等を投入する薬剤滴下装置と当該装置を用いた方法に関するものである。
【背景技術】
【０００２】
マンション等の高架水槽では、消毒効果を維持する必要上、定期的に消毒剤（次亜塩素酸ナトリウム）を添加する必要がある。維持されるべき濃度は極微量例えば０．１ppm〜１ppmである。水が常時使用されているときには、前記の濃度は元来水道水に含まれている消毒剤の濃度であり、それが揮発する以前に、水は消費されることになるので、特に追加的に消毒剤を滴下する必要はないことになる。
【発明の概要】
【発明が解決しようとする課題】
【０００３】
学校の高架水槽では、夏休み等で、水槽が満杯状態になって、長時間放置されることがある。この場合に、水道水に元来含まれている消毒剤（次亜塩素酸ソーダ）は揮発して、法定量（０．１ppm〜１ppm）を維持していないことが多くなる。１ｍ3のタンクに１２％の次亜塩素酸ソーダを滴下して０．１ppm濃度を実現するためには０．８３ccの滴下が必要である。
【０００４】
定期的に極微量ずつ消毒剤を滴下することが望まれるが、例えば数時間毎に１ccの滴下が必要な場合に、この作業を作業員の手ですることは困難である。コストを厭はないときは、この種の機能を備えた装置はあるが、低コストの装置の出現が望まれるところである。
【０００５】
本発明は上記従来の事情に鑑みて提案されたものであって、低コストで長時間間隔で、極微量の消毒剤等の薬剤を滴下できる薬剤滴下装置と滴下方法を提供することを目的とする。
【課題を解決するための手段】
【０００６】
本発明は、モータで駆動される液移送ポンプで、当該モータの回転にともなって、所定量ずつ対象液を滴下するようにし、タイマーで前記モータの作動開始時間と作動時間を設定しておき、秒単位の作動信号を出力することによって、微量な薬液の滴下ができる薬剤滴下装置である。
【発明の効果】
【０００７】
長時間間隔で極微量、例えば１cc以下の薬剤を滴下したいときに、適用することができる。
【図面の簡単な説明】
【０００８】
【図１】本発明の機能ブロック図である。
【図２】本発明に使用するポンプの１例を示すもの。
【発明を実施するための形態】
【０００９】
図１は本発明の概要を示す機能ブロック図であり、図２は本発明に使用する液送ポンプの主要部を示す図である。
【００１０】
モータで駆動されるロータ１１は、等角度間隔（この場合は１８０度）で凸部１２を備えており、当該ロータ１１の上半周囲を囲うように押さえ壁１３が設けられている。前記押さえ壁１３とロータ１１との間には、可撓性のホース１４が挟まれており、当該ホース１４は前記凸部１２の部分でくびれた状態で押さえ壁１３に押圧される。
【００１１】
ホース１４の一方の端は移送元の液源タンク２０に浸され、他方の端は、移送先の投入タンク３０に開口される。この状態で、ロータ１１を回転させると、特定の凸部１２が抑え壁１３を抑えながら回転する。このとき、前記当該凸部１２の通過する箇所はくびれるとともに、当該くびれは回転とともに下流方向に移動する。したがって、回転方向下流に充填された薬剤は、ホース１４の移送先タンク３０に送られ、前記当該凸部１２の回転方向上流のホースは再び膨らんで液源タンク２０から、薬剤を吸い上げることになる。従って、前記凸部１２の回転角に応じた容量の薬剤が液源タンク２０から移送先タンク３０に送られることになる。このポンプ１０によると、以下に説明するように１ccに満たない量での滴下も可能となる。
【００１２】
移送対象液を微量ずつ移送するためには、モータの制御も重要になる。すなわち、例えば、秒単位で、正確にロータ１１の回転角を調整すると、１回の移送量を１cc以下に抑える等の制御をすることができるが、そのためには、モータと前記ロータの回転比を調整するように、（例えば１秒でロータ１１が半回転するように）減速する減速機を設ける必要がある。
【００１３】
更に、滴下する間隔と必要量は例えば６時間間隔で１cc以下と言った単位である。ここで、ロータ１１が２秒で半回転し、１ccの薬剤を送ると仮定すると、長くても数秒間だけモータを駆動するための駆動信号を発生す必要がある。すなわち、タイマー４０の時間設定部４１で６時間間隔の起動時間を設定し、秒設定部４１で例えば２秒の駆動時間を設定する。
【００１４】
これによって駆動信号がONになるとスイッチ４３がONとなり、電源４４からポンプ１０に対して電力が１秒間だけ電力が送られることになる。
【００１５】
＜実施例１＞
某銀行における２ｍ3のタンクであって、当タンクは一階に設置され２階、３階に井戸水を圧力ポンプで圧送して配給するシステムになっている。井戸水であるので、消毒剤である当然次亜塩素酸ナトリウムの初期値はゼロ。当該溜水の次亜塩素酸ナトリウム濃度を法定上の濃度に保つ必要がある一方、消費されている量も勘案する必要がある。
【００１６】
６時間毎に濃度３％の次亜塩素酸ナトリウムを２秒間（６cc）を注入するように時間設定しておくと、０．３〜０．４PPMにコントロールできた。
【００１７】
＜実施例２＞
学校の屋上に設置されているタンクは夏休みなどの高温時では１〜２日で次亜塩素酸ナトリウムはすべて揮発する。この場合は、１ｍ3の高架水槽に１２％濃度の次亜塩素酸ナトリウム溶液を４〜６時間置きに１回６cc（前記ポンプを２秒作動）を１日４〜６回実行すると０．５PPMの濃度を維持できる。
【産業上の利用可能性】
【００１８】
以上の構成で、長時間単位に秒単位のポンプの駆動が可能となり、学校の貯水槽等の消毒剤の管理、あるいは、排水に対する凝集剤等の滴下の管理が可能となる。
【符号の説明】
【００１９】
１０・・ポンプ
１１・・ロータ
１２・・凸部
１３・・押さえ壁
１４・・可撓性のホース
２０・・液源タンク
３０・・投入タンク
４０・・タイマー
４１・・時間設定部
４２・・秒設定部
４３・・スイッチ
４４・・電源
【図１】
2019147120.tif 000003
【図２】
2019147120.tif 000004
(57)【要約】      （修正有）【課題】日本沿岸を流れる黒潮、親潮に沿う日本漁業が行われてきた最近の気象変化その他により地球規模に変化を生じる潮流の流れも変化を生じ、魚のとれる時期に魚が取れなくなっていることや、マグロ遠洋漁業の為、１年近く石油・ガスなどを使用し漁獲に努めてきたが燃料費も多く負担となっていることを解決する漁場を提供する。【解決手段】海洋水利用による発電方式を陸地に設置するのではなく海にて自由な場所、自由な時期に発電を生じさせ潮流の流れに沿った箇所にて新漁場を生じさせ漁獲する方式により経済的に安定した漁業が出来る手段として抑制型タイプ錐型柱状躯体１と船２と船２の間に取り付け波の抑制圧力及び船舶が進む場合スクリュー３による排水水勢力を生かした方式にて常時動力源を確保しつつ、各漁船の経済的負担を減少させ安定した漁業が出来る方式とする。又、本船団には潮流の各種魚を集魚することのできる装置を備えた構造とする。【選択図】図２
2019071866.tif 000002
【特許請求の範囲】
【請求項１】
船と船との間に抑制型タイプ錐型柱状躯体をだきかかえ、抑制型タイプ錐型柱状躯体の潮流上部側に船を前進させるスクリューを単数又は複数取り付けスクリューの回転により、船尾に潮流を流しつつ、抑制型タイプ錐型柱状躯体の内部構造により上昇水波が２乗化することを利用し、船尾において複数の発電機タービンを動かし発電することにより漁場における電源を確保しつつ、発電時に生ずる水しぶき気泡を利用しつつ、表層に小さな魚を集め漁場を新設しつつ、潮流を生かした広範囲の新設漁場を人工的に増設できる新漁場開拓と自己発電による諸経費の削減のできることを特許の請求範囲とする。
【請求項２】
尚、船と船の間をあけた飛行機型の漁場も特許の請求範囲とする。
【請求項３】
抑制型タイプ錐型柱状躯体は潮流末尾より上流側に向かって中心線より５°〜３５°の範囲の平面的広がりの中に構築し勾配部は３°〜７°の範囲とする広がりで潮流の流入スピード（量）等により、２乗化する方式を算定の上、抑制型タイプ錐型柱状躯体で長さを決定し、末尾の縮小断面積は流入口断面積に応じて変化させスクリューの水勢力の規模に応じて決定していくことを特許請求の範囲とする。
【請求項４】
抑制型タイプ錐型柱状躯体は抑制型部２／３潮流上昇発電部１／３を使用するものとする。抑制型タイプ錐型柱状躯体の上流側入口部には中央にスクリューを取り付けた場合、又はその入り口周辺には複数個所のスクリューを設け船体２／３地点で船の両側に２ヵ所、船尾に前進用スクリューを２か所以上取り付けた構築構造を特許の請求範囲とする。
【請求項５】
抑制型タイプ錐型柱状躯体の外周はリブ型構造とし、１スパン２０〜３０ｍ毎にフンジジョイントの出来る構造とし、その外側にはエアジェット、ジェット水の噴出できる装置を取り付け発電時の波しぶきと同時に水中に発射し魚群の集業を目的とすることを特許の請求範囲とする。尚、抑制型タイプ錐型柱状躯体の中央部及びその周辺には複数のスクリュータイプを設け、船体と共に安定バランスをとることを特許の請求範囲とする。
【請求項６】
抑制型タイプ錐型柱状躯体の１／３の尾首部分は複数個の出口を取り付け魚の尾のような形とする。尾首部分は１カ所当たり１ｔ〜３ｔの土出量を確保出来る構造とし流入潮流と、スクリューによる尾首水勢力を常時確保出来る構築構造を特許の請求範囲とする。
【請求項７】
船尾後方には大規模なハユナワ等の仕掛けができる設備を備えた構築構造を特許の請求範囲とする。一般の漁船には船団の後方に漁船を集め漁場を提供すると動力源の提供を与え組織を確立し、日本漁業に貢献することを特許の請求範囲とする。
【発明の詳細な説明】
【技術の分野】
【０００１】海洋水を利用し発電することを申請してあるが陸地にて海洋水を上昇させる方式があるが海洋中で発電することは初めてである申請原理内容を応用し船と船との間にＶ字型の抑制型タイプ錐型柱状躯体を設置しつつスクリューの排出水勢力を組み合わせることを考え開発した工法である。
【技術背景】
【０００２】在来まで陸地側へＶ字型に突堤をつくりつけ、海洋幅を１／４狭めることと勾配を１／１６浅くすることにより波高が２乗化する理論づけ裏付けから各種タイプの陸上における発電方式を申請してきたが大規模なため実現に至らなかったが今後期待されている。
今回はこれらのシステム原理を生かし、船と船の間にＶ字型に抑制型タイプ錐型柱状躯体を取り付けることにより小規模でさらに船が前進するスクリューによる水勢力をこの抑制型タイプ錐型柱状躯体を通じ通過する場合のエネルギーを更に船の尾首にて抑制し、海洋水を上昇させ、回転式落差発電に利用することの出来る技術的背景から今回発明した。
【発明の開示】
【発明が解決しようとする課題】
【０００３】潮流に逆らいながらの漁法は燃料費を浪費のみで潮流に魚群がいるかどうかが課題であった。
漁場を探し続け燃費燃料費の無駄遣いが課題であった。
【課題を解決する手段】
【０００４】課題解決策として本発明は海洋水利用発電方式を海上にて行うこととし更に船が前進する場合のスクリューによる水勢を組み合わせ、抑制型タイプ錐型柱状躯体の波高が２乗化する原理を組み合わせ大量の海水を常時吐出でき、その吐出水を利用し発電することにより燃料費の大幅な削減を図ることができる。
各漁船にも電源を配布できる。又、発電後の吐出水はしぶき、その他にて表面に魚を集めることができる新漁場新設に貢献でき、安定した漁場を漁民に与えることにより課題を解決することができる。
【発明の効果】
【０００５】上記のような抑制型タイプ錐型柱状躯体を船の前進する場合のスクリューによる水勢エネルギーを合体し船尾において絶えず高い水頭を確保する発電効果が大きく電力を貯蔵できることにより今までのような各漁船の燃料費の負担が大幅に削減出来、且つ時間的ロスが削減でき、大きな効果がある。また新設漁場のありかたについても固定した経済効果が期待できる。
【図面の簡単な説明】
【０００６】
【図１】潮流利用による漁場新設構築及び発電  平面図
【図２】潮流利用による漁場新設構築及び発電  断面図
【符号の説明】１．抑制型タイプ錐型柱状躯体（丸錐型形及び多角錐型柱状躯体）
２．船（単船の場合と複数船の場合も含む）
３．船を前進する為のスクリュー
４．潮流に逆らう水勢を持つためのスクリュー（単数及び複数）
５．船の後方  抑制型タイプ錐型柱状躯体の尾ビレ部分で吐出口が水勢により上下に動け    る構造としタービンと共に前後横移動できる構造としてある
６．運転管理室
７．発電操作室及び（蓄電室）
８．各種材料室
９．ジェット設備（エアジェットも含む）
１０．集魚燈
【図１】
2019071866.tif 000003
【図２】
2019071866.tif 000004
(57)【要約】      （修正有）【課題】簡単にして容易なチーズの作り方の提供。【解決手段】動物の母乳に乳酸菌を加えて発酵させて冷凍解凍し、次に乳成分を濾過してなる食品チーズの作り方。動物の母乳が牛乳であり、乳酸菌がチーズ用乳酸菌あるいはヨーグルト用乳酸菌である食品チーズの作り方。【効果】時間は少々かかるが簡単で手間と熟練を要しない。【選択図】なし【特許請求の範囲】
【請求項１】
動物の母乳に乳酸菌を加え発酵させて冷凍解凍し、次に乳成分を濾過してなる食品チーズの作り方。
【請求項２】
請求項１記載の動物の母乳が牛乳である食品チーズの作り方。
【請求項３】
請求項１記載の乳酸菌がチーズ用乳酸菌である食品チーズの作り方。
【請求項４】
請求項１記載の乳酸菌がヨーグルト用乳酸菌である食品チーズの作り方。
【発明の詳細な説明】
【技術分野】
【０００１】  本発明は食品のチーズの作り方に係るものである。
【背景技術】
【０００２】  従来、チーズは栄養価の高い食品として世界的に賞味されて来たが、その作り方は簡単とは云えない。【０００３】  本発明はこの課題の解決を目的とするものである。
【発明が解決しようとする課題】
【０００４】  本発明は簡単にして容易なチーズの作り方を提供する事を課題とするものである。
【課題を解決するための手段】
【０００５】  チーズは太古の昔から存在する有用な食品である。その一般的な作り方は原理的にはあまり変化していない。乳酸菌を加えて発酵した牛乳に子牛の胃から採取したキモシンと呼ばれる酵素を加えて乳成分を固めた凝乳と乳清と呼ばれる液体を分離する。分離した凝乳を細かく砕き布で濾す。得られた凝乳を成形し発酵を継続したものがナチュラルチーズである。しかしながらこの製法はかなり煩雑でありしかも熟練を要する。
【０００６】  本発明はチーズの製法において簡単にして熟練を要しない作り方を提供する事を目的とする。西欧ではチーズの製造は家庭の主婦の主な仕事の一つであるとされているがかなりの手間と熟練を要するのも事実である。チーズは栄養学的には極めて優れた食品であるが、その製造は現代の多忙な主婦には過重な労働になる。本法は少々時間はかかるが、手間も熟練も必要としない。本法は特にフレッシュチーズの製造に適している。
【０００７】  その方法は先ず牛乳に乳酸菌を加えて発酵しその液を一旦冷凍し、次に常温近傍の温度で解凍し、濾過して白色の成分と乳清と呼ばれている透明な液体成分に分離する。濾過膜上に残った成分が発酵した牛乳成分である白色のフレッシュチーズである。実に簡単な方法である。このフレッシュチーズを加圧成形し加塩して更に発酵を継続すれば普通のナチュラルチーズが得られる。
【０００８】ここで冷凍と解凍を施す事で牛乳成分と乳清の分離が極めて容易になる。従来の方法の様にキモシンの使用は必要としない。また濾過膜には一般に使用されている濾紙が使用出来る。例えばコーヒーのドリップに使用する濾紙で十分である。冷凍の温度は牛乳が凍結する温度以下とする。一般家庭の冷蔵庫に備えてある冷凍庫を使用すれば良い。冷凍時間が長いほど分離は容易になるが８時間程度で十分である。更にキモシンは高温殺菌牛乳には効果がない。従って一般の方法では入手が比較的困難で高価な低温殺菌牛乳を使用しなければならないという制約がある。本発明では入手容易で安価なな高温殺菌牛乳が使用出来るので便利である。解凍の温度は乳酸菌の活性を維持する為常温近傍の温度にする事が必要である。電子レンジ電磁波による解凍は高温になり易く乳酸菌が死滅するので良くない。冷凍では乳酸菌は冬眠するが、死滅する事はない。また本発明でも牛乳以外の他の動物の例えば山羊の母乳も使用出来る。乳酸菌にはチーズ用の他にもヨーグルト用も使用出来る。以上の事から本発明は特にフレッシュチーズ作りに適していると云える。
【実施例１】
【０００９】乳脂肪分３．６％、成分無調製の牛乳１０００ｇに株式会社野沢組カルチャーのチーズ用乳酸菌、商品名ＦＤ−ＤＶＳ  ＣＨＮ−１１  ３０Ｘ５０Ｕを０．１ｇ加え常温２０℃で４８時間発酵させた。次に−１９℃の冷凍庫に入れて凍結した。８時間後冷凍庫から取り出し常温２０℃で解凍した。そしてコーヒードリップ用の濾紙で濾過して白色の乳成分フレッシュチーズ約３００ｇが得られた。さわやかな酸味とほのかな甘さのあるフレッシュチーズであった。
【実施例２】
【００１０】実施例１のチーズ用乳酸菌の代わりにフジッコ株式会社のカスピ海ヨーグルト乳酸菌を使用した。約３００ｇのヨーグルトフレッシュチーズが得られた。実施例１の場合と同様にさわやかな酸味とほのかな甘さのあるフレッシュチーズであった。
(57)【要約】      （修正有）【課題】中大型犬の散歩時におこる暴走、飛びつき、無駄吠え防止のための胴巻きリードの提供。【解決手段】中大型犬の腹部に回す輪にした緩衝材を付けたリード１を輪３にしてから首輪型とし、更にタスキ型リード４に確実に接続するために、輪５を作り使用する、中大型犬胴巻きリード。【選択図】図１
2019071864.tif 000002
【特許請求の範囲】
【請求項１】
中大型犬の散歩時におこる暴走、飛びつき、無駄吠え行為によって、飼い主や周りの人員、その他に与える心理的恐怖やけがなどを、中大型犬の腹部に回したリードにビニール等の緩衝材をまくことによって与える刺激と、中大型犬の学習効果によって暴走等を防止することを特徴とする中大型犬の暴走、飛びつき、無駄吠え防止のための胴巻きリード。
【発明の詳細な説明】
【技術分野】
【０００１】  本発明は、中大型犬の散歩時に何かに驚いたりして暴走、飛びつき、無駄吠えし、飼い主、及び周りの人員その他にけがを与えることなどを防止するための中大型犬の暴走、飛びつき、無駄吠え防止のための胴巻きリードに関するものである。
【背景技術】
【０００２】  特許文献１には、犬を散歩させるときに取り付ける胴輪付きリードが開示されている。
この胴輪付きリードは、脱着、及び胴輪部分の大きさを調整可能であるので、ペットへの脱着が容易である。【０００３】  しかし、前記胴輪付きリード、及び他のペットリードは、垂れると、ペット用リードが地面について汚れ、また、ペット用リードが犬や人の足に絡まることがある。【０００４】  しかし、首輪型リードでは犬の暴走時に首部分の負担が大きい。
そこで、このような問題点を解消し得るペット用リードが特許文献２に開示されている。
特許文献２の開示されたペット用リードは、胴輪と一体化した構成であり、首部分の負担は軽減されている。
【先行技術文献】
【特許文献】
【０００５】
【特許文献１】特開２００９−２１９４７３号公報
【特許文献２】特開２０１３−０２１９９１号公報
【発明の概要】
【発明が解決しようとする課題】
【０００６】  いままでの散歩時に使用するリードは、首輪型とタスキ型があったが、次のような問題点があった。
（イ）首輪型とタスキ型ともに中大型犬の首や肩の部分に大きな負担をかけてけがを負わ    せることがあった。
（ロ）飼い主が中大型犬の暴走で、手首や肩などにけがをすることがあった。
（ハ）通行中の人やその他に飛びつきや、無駄吠えで心理的な驚きやケガを負わせる恐れ    があった。
本発明は、これらの問題点を解決するためになさせたものである。
【問題を解決するための手段】
【０００７】  中大型犬の散歩時におこる暴走、飛びつき、無駄吠えなどの行為によって、飼い主や周りの人員、その他に与える心理的恐怖とけがなどを、中大型犬の腹部に回したリードにビニール等の緩衝材をまくことによって与える刺激と学習行為によって防止することを特徴とする中大型犬の暴走、飛びつき、無駄吠え防止のための胴巻きリードである。
【発明の効果】
【０００８】（イ）中大型犬に与えるけがの予防になる。
（ロ）飼い主や周りの人、その他に与える心理的恐怖予防とけがの予防になる。
【図面の簡単な説明】
【０００９】
【図１】  本発明の外形図である。
【発明を実施するための形態】
【００１０】  以下、本発明の実施の形態について説明する。
中大型犬の散歩時におこる暴走、飛びつき、無駄吠え等の行為によって、飼い主や周りの人員、その他に与える心理的恐怖（１）やけがなどを、中大型犬の腹部に回したリード（２）にビニール等の緩衝材（１）をまくことによって与える刺激と、中大型犬の学習行為によって暴走等の行為を防止することを特徴とする中大型犬の暴走、飛びつき、無駄吠え防止のための胴巻きリードである。
本発明は以上のような構成である。
本発明を使用するときは、中大型犬の腹部に緩衝材を付けたリード（１）を輪（３）にしてから首輪型、タスキ型リード（４）に確実に接続（５）して使用する。
【符号の説明】
【０００１１】    １  リードに通した筒状緩衝材
２  リード
３  着脱式フック
４  首輪型胴輪型リード
５  着脱式フック
【図１】
2019071864.tif 000003